(57)【要約】【課題】簡単な構成によって組立て及び分解可能であり、しかも物品の陳列高さを調節することができるコンパクトな構造の陳列台を提供する。【解決手段】少なくとも3本のパイプ材からなる脚部材２、２…を有する組み立て式の陳列台１であって、脚部材２の数だけの貫通穴３が斜形状に形成されると共に各貫通穴３の上縁と下縁に切欠縁４を形成してなるホルダ５と、該ホルダ５の夫々の貫通穴３に挿入した脚部材２を所定の高さで固定する固定板５とを有し、該固定板５は脚部材５を挿入した状態において貫通穴３の切欠縁４の内側に生ずる隙間７に圧入されるストッパ８を有し、貫通穴３に脚部材２を挿入して所定高さで固定するように該貫通穴３の隙間７に固定板５のストッパ８を圧入した状態にして該固定板５をホルダ５にネジ止めすることにより立設状態にされた各脚部材２の頭部に上載部材を載置するようにしたものである。【選択図】図２
2006061664.tif 000002
【特許請求の範囲】
【請求項１】
少なくとも3本のパイプ材からなる脚部材を有する組み立て式の陳列台であって、前記脚部材の数だけの貫通穴が斜形状に形成されると共に各貫通穴の上縁と下縁に切欠縁を形成してなるホルダと、該ホルダの夫々の貫通穴に挿入した前記脚部材を所定の高さで固定する固定板とを有し、該固定板は前記脚部材を挿入した状態において前記貫通穴の切欠縁の内側に生ずる隙間に圧入されるストッパを有し、前記貫通穴に前記脚部材を挿入して所定高さで固定するように該貫通穴の隙間に前記固定板のストッパを圧入した状態にして該固定板を前記ホルダにネジ止めすることにより立設状態にされた各脚部材の頭部に物品を載置するようにしたことを特徴とする陳列台。
【請求項２】
前記脚部材は３本で構成され、前記ホルダには３個の挿入穴が形成されていることを特徴とする請求項１記載の陳列台。
【請求項３】
前記固定板の上面に該固定板を補強する押え板が設けられ、該押え板が前記固定板に重ねて前記ホルダにネジ止めされることを特徴とする請求項１又は２記載の陳列台。
【請求項４】
前記固定板のストッパに弾性部材からなるスペーサを介在して前記ホルダの貫通穴に挿入した脚部材の回転止めとしたことを特徴とする請求項１、２又は３記載の陳列台。
【請求項５】
前記複数の脚部材の頭部にテーブル板又はボール等の上載部材を載置するにあたり、該上載部材の底部に鎖又はワイヤ等の牽引部材の上端を固定すると共に、該牽引部材の下端を前記ホルダに張引した状態で固定することにより、前記上載部材を各脚部材と一体的に結合したことを特徴とする請求項１、２、３又は４記載の陳列台。
【請求項６】
前記複数の脚部材の頭部に平板状のテーブル板を載置する場合、各脚部材の頭部が前記テーブル板の底面に当接する箇所に滑止部材を固設することによって該滑止部材で各脚部材の頭部を係止するようにしたことを特徴とする請求項１、２、３、４又は５記載の陳列台。
【請求項７】
前記複数の脚部材の夫々の下部を鎖又はワイヤ等の線部材で互いに張引することによって各脚部材の開脚状態を規制することにより、各脚部材の開脚状態を安定化するようにしたことを特徴とする請求項１、２、３、４、５又は６記載の陳列台。
【発明の詳細な説明】
【技術分野】
【０００１】
本発明は、商品や展示品等を陳列するための簡単な組立て構造による高さ調節可能な陳列台に関するものである。
【背景技術】
【０００２】
商店に商品を陳列したり、展示会場で展示品を陳列したりする際、これらの物品をある程度の高さに陳列するには、テーブルを用いたり、備え付けの陳列台を用いたりするのが一般的である。ところが、これらのテーブルや陳列台は多数の物品を載置することが可能であるが、広い設置スペースを必要とするものである。
【０００３】
これに対して、一物品をある程度の高さで陳列する場合であって、スペースをとらずに陳列することが要求される場合、例えば、特許文献１に記載の折畳みテーブルを使用することができる。
【０００４】
この文献に記載のテーブルは、図１４(ａ）に示すように、パイプ材を略コ字形に折曲してなる一対のフレーム３１ａ、３１ｂの縦杆３２ａ、３２ｂ同士を上下の連結部材３３、３３で回動自在に連結すると共に、一方のフレーム３１ａの上杆３４ａを天板３５の裏面に固定したブラケット３６に枢着し、各フレーム３１ａ、３１ｂを拡開したとき、他方のフレーム３１ｂの上杆３４ｂを天板３５の裏面に固定してある第１把持部材３７に挿着することによって、各フレーム３１ａ、３１ｂを拡開した状態で立設した載置台として使用することができる。
【０００５】
また、図１４(ｂ）に示すように、上記の他方のフレーム３１ｂを第１把持部材３７から外して、両フレーム３１ａ、３１ｂを閉じると共に、天板３５をブラケット３６を中心にして畳み込み、この状態で天板３５の裏面に固定された第２把持部材３８を一方のフレーム３１ａの縦杆３２ａに固着して天板３５の折畳み状態を固定するようにしてある。
【特許文献１】特開２００１−１２８７３８号公報
【発明の開示】
【発明が解決しようとする課題】
【０００６】
ところで、上記の折畳みテーブルは、一対のフレームと天板とを折畳むことが可能であり、使用しないときはコンパクトに保管することが可能である。ところが、この折畳みテーブルは、天板の高さ調節をすることができないため、物品の陳列高さが変えられないという欠点がある。また、この折畳みテーブルにおいて、陳列高さを変えるときは、所望高さごとに形成されたフレームを有する折畳みテーブルが必要となる。
【０００７】
本発明は、上記のように、折り畳むことによってコンパクトに収納可能とした構成ではなく、簡単な構成によって組立て及び分解可能であり、しかも物品の陳列高さを調節することができるコンパクトな構造の陳列台を提供することを目的とする。
【課題を解決するための手段】
【０００８】
上記の目的を達成するために、本発明の請求項１の陳列台は、少なくとも3本のパイプ材からなる脚部材を有する組み立て式の陳列台であって、前記脚部材の数だけの貫通穴が斜形状に形成されると共に各貫通穴の上縁と下縁に切欠縁を形成してなるホルダと、該ホルダの夫々の貫通穴に挿入した前記脚部材を所定の高さで固定する固定板とを有し、該固定板は前記脚部材を挿入した状態において前記貫通穴の切欠縁の内側に生ずる隙間に圧入されるストッパを有し、前記貫通穴に前記脚部材を挿入して所定高さで固定するように該貫通穴の隙間に前記固定板のストッパを圧入した状態にして該固定板を前記ホルダにネジ止めすることにより立設状態にされた各脚部材の頭部に物品を載置するようにしたことを特徴とする。
【０００９】
また、本発明の請求項２の陳列台は、請求項１において、前記脚部材は３本で構成され、前記ホルダには３個の挿入穴が形成されていることを特徴とする。
【００１０】
また、本発明の請求項３の陳列台は、請求項１又は２において、前記固定板の上面に該固定板を補強する押え板が設けられ、該押え板が前記固定板に重ねて前記ホルダにネジ止めされることを特徴とする。
【００１１】
また、本発明の請求項４の陳列台は、請求項１、２又は３において、前記固定板のストッパに弾性部材からなるスペーサを介在して前記ホルダの貫通穴に挿入した脚部材の回転止めとしたことを特徴とする。
【００１２】
また、本発明の請求項５の陳列台は、請求項１、２、３又は４において、前記複数の脚部材の頭部にテーブル板又はボール等の上載部材を載置するにあたり、該上載部材の底部に鎖又はワイヤ等の牽引部材の上端を固定すると共に、該牽引部材の下端を前記ホルダに張引した状態で固定することにより、前記上載部材を各脚部材と一体的に結合したことを特徴とする。
【００１３】
また、本発明の請求項６の陳列台は、請求項１、２、３、４又は５において、前記複数の脚部材の頭部に平板状のテーブル板を載置する場合、各脚部材の頭部が前記テーブル板の底面に当接する箇所に滑止部材を固設することによって該滑止部材で各脚部材の頭部を係止するようにしたことを特徴とする。
【００１４】
さらに、本発明の請求項７の陳列台は、請求項１、２、３、４、５又は６において、前記複数の脚部材の夫々の下部を鎖又はワイヤ等の線部材で互いに張引することによって各脚部材の開脚状態を規制することにより、各脚部材の開脚状態を安定化するようにしたことを特徴とする。
【発明の効果】
【００１５】
本発明は、上記のように構成されているため、非常に簡単な構成によって、安価に製造することができ、簡単に組み立てたり、分解をすることが可能であり、組立て後の立設状態においては、夫々の脚部材の頭部に物品を載置した状態で美麗に陳列をすることが可能となる。
【００１６】
また、本発明の陳列台は、組立て状態及び分解状態においてもコンパクトであり、しかも狭いスペースに設置することができ、軽量であって移動の際の持ち運びにも便利である。
【００１７】
さらに、本発明の陳列台によれば、長さの異なる脚部材を取り替えることによって、各脚部材の頭部に載置される物品の陳列高さを調整することができる。また、ホルダの下方に各脚部材をどれだけ長く出すかによって立設状態の安定性を調整したり、各脚部材の頭部に載置する物品の大きさに応じて、ホルダの上方に各脚部材をどれだけ長く出すかという調整も自由に行うことができる。
【００１８】
また、本発明の陳列台において、複数の脚部材の頭部にテーブル板又はボール等の上載部材を使用する場合、該上載部材の底部に鎖又はワイヤ等の牽引部材の上端を固定すると共に、該牽引部材の下端をホルダに張引した状態で固定することにより、簡単な組み立て構造であって、テーブル板又はボール等の上載部材が各脚部材の頭部で滑りを生じて容易に脱落するおそれがなく、この上載部材が各脚部材と一体的に結合された陳列台としての使用が可能となり、テーブル板又はボール等の上載部材の上に置いた展示物等の落下を効果的に防止することが可能となる。
【００１９】
また、本発明において、複数の脚部材の頭部に平板状のテーブル板を載置する場合、各脚部材の頭部がテーブル板の底面に当接する箇所に滑止部材を固設した構造とし、夫々の滑止部材にホルダによって保持された各脚部材の頭部を係止することにより、テーブル板の滑り止めをより確実なものとすることができ、テーブル板の上に設置する展示物等の落下をより確実に防止することが可能となる。
【００２０】
さらに、本発明において、複数の脚部材の夫々の下部を鎖又はワイヤ等の牽引部材によって互いに張引することによって各脚部材の開脚状態を規制するようにし、これによって夫々の脚部材が所定角度だけ開脚された安定状態を保つことができ、上載部材をより確実に保持することが可能となる。
【発明を実施するための最良の形態】
【００２１】
以下、本発明の実施例について図面を参照しながら説明する。
【実施例１】
【００２２】
本発明による陳列台は、少なくとも３本のパイプ材からなる脚部材を有する組み立て式の陳列台であって、本実施例においては、図１に示すように、３本のパイプ材からなる脚部材２、２…を用いた構成としている。それぞれの脚部材２は、アルミニウム、ステンレス等による金属材料を用いて所定長さに形成されている。ただし、この脚部材２の材質は特に限定されるものではない。なお、各脚部材２の上下部には弾性のキャップ１６、１６…が挿着してあり、これによって脚部材２の端部を隠蔽して保護すると共に、各脚部材２、２…の立設状態における滑り止めとし、さらに各脚部材２、２…の頭部に載置するボール等の物品上載部材１０が各キャップ１６、１６…で支持されることによって、物品上載部材１０の保護を図るようにしている（図７参照）。
【００２３】
また、本実施例の陳列台１の全体構成としては、図２に示すように、3本のパイプ材からなる脚部材２、２…を有する組み立て式の陳列台１であって、脚部材２、２…に相当する３個の貫通穴３、３…が斜形状（図５(ｂ）参照）に形成されると共に各貫通穴３の上縁と下縁に切欠縁４を形成してなるホルダ５と、該ホルダ５の夫々の貫通穴３に挿入した脚部材２を所定の高さで固定する固定板６とを有し、該固定板６は脚部材２を挿入した状態において貫通穴３の切欠縁４の内側に生ずる隙間７に圧入されるストッパ８を有し、貫通穴３に脚部材２を挿入して所定高さで固定するように該貫通穴３の隙間７に固定板６のストッパ８を圧入した状態にして該固定板６をホルダ５にネジ止めすることにより立設状態にされた各脚部材２、２…の頭部に物品上載部材１０を載置するようにしたものである。
【００２４】
このような構成について詳細に述べると、図２に示すように、ホルダ５は合成樹脂、木製又は金属を用いて厚みを有する円板形状に形成され、その中心に貫通形成されたボルト孔１１を有し、その周りに３個の貫通穴３、３…が等間隔で形成されている。
【００２５】
夫々の貫通穴３は、図５(ｂ）に示すように、所定の勾配３ａを有する斜形状に形成され、上記の脚部材２を緩やかに挿入し得る内径を有し、各貫通穴３の上縁と下縁とには切欠縁４が形成されている。なお、貫通孔３の勾配３ａは該貫通孔３に挿入された脚部材２の傾斜角度を決定するものである。また、貫通孔３の上縁と下縁に切欠縁４を形成したのは、脚部材２を貫通孔３に挿入した状態で切欠縁４に生じる隙間７に後述する固定板６のストッパ８を圧入するためのものである。
【００２６】
本実施例において、固定板６は硬質の合成樹脂により形成されているが、木製や金属板によって形成してもよい。この固定板６は、図３（ａ）に示すように、これを上面から見ると、中心にボルト孔６ｂを有し、このボルト孔６ｂの周囲３ヶ所に切欠辺６ａ、６ａ…を等間隔に形成している。これら３ヶ所の切欠辺６ａ、６ａ…は、図５（ａ）又は(ｂ）に示すように、固定板６のボルト孔６ｂをホルダ５のボルト孔１１に位置合わせした状態で、各貫通穴３、３…に挿入した脚部材２の一部外周を包囲するような湾曲形状に形成され、しかも各切欠辺６ａの奥部下縁にはストッパ８が形成されている。
【００２７】
このストッパ８は、図３(ａ）〜（ｃ）に示すように、夫々の切欠辺６ａの奥部下縁に形成されたものである。このストッパ８は、図５（ａ）又は（ｂ）に示すように、各貫通孔３の切欠縁４に嵌入されるべき斜形辺８ａ（図３（ｂ）参照）を有し、ホルダ５の貫通穴３の切欠縁４に生じる隙間７に沿って圧入され、この圧入状態で脚部材２を所定の高さで固定状態にすることができる。
【００２８】
さらに、本実施例においては、図５(ａ）又は（ｂ）に示すように、固定板６の上面に合わせて押え板９が設けられている。この押え板９は、図４に示すように、固定板６を僅かに縮小した同様の形状であって、中心にボルト孔９ｂを有し、また周囲３ヶ所に切欠辺９ａ、９ａ…を形成してある。図５（ｂ）に示すように、この押え板９を固定板６に重ねてホルダ５にボルト１２とナット１３によってネジ止めすることにより、固定板６のネジ止め状態を補強することができる。従って、固定板６が十分の強度を有するものであれば、押え板９は必ずしも必要ではない。
【００２９】
なお、本実施例においては、押え板９と固定板６とをホルダ５にネジ止めするために、ホルダ５のボルト孔１１に挿通するボルト１２とナット１３とを用いてあるが、例えば、ホルダ５の中心内部に埋め込み式のナットを設けることによって、ボルト１２のみで締結することも可能である。いずれにしても、ボルト１２の頭部にはコインを嵌め込んで回動可能に締結し得る嵌合溝１２ａを形成することによって便利に組み立てることが可能となる。
【００３０】
また、本実施例においては、図５（ｂ）に示すように、固定板６のストッパ８に弾性部材からなるスペーサ１４を介在するようにしている。これは、上記のようにホルダ５の貫通穴３に脚部材２を挿入し、ホルダ５に固定板６を当てて該固定板６のストッパ８を貫通穴３の隙間７に圧入した状態でホルダ５にネジ止めした場合、貫通孔３の内周に沿って脚部材２が回転するおそれがあり、これを防止するためにスペーサ１４を介在して回転方向への滑りを防止するようにしたものである。
【００３１】
本実施例において、上記の各部材を組立てるには、図２に示すように、ホルダ５の各貫通孔３、３…に夫々の脚部材２、２…を挿入する。このとき、各脚部材２の長さによって、各脚部材２の頭部に載置される物品上載部材１０の陳列高さを調整することができるため、所望の陳列高さに応じて長さの異なる脚部材２を選択して挿入すればよい。また、本実施例においては、各脚部材２、２…の上下部に等しくキャップ１６、１６…を挿着してあるため、脚部材２の挿入方向は任意でよい。
【００３２】
なお、上記のように各脚部材２、２…をホルダ５の各貫通孔３、３…に挿入した状態において、ホルダ５の下方に脚部材２をどれだけ長く出すかによって各脚部材２、２…の開度が決まるため、全体のバランスや各脚部材２、２…による安定性を考慮して決定する必要がある。また、同時に、ホルダ５の上方に各脚部材２、２…をどれだけ長く突出するかによって、各脚部材２、２…の頭部に載置する物品上載部材１０の安定性が決定するため、載置すべき物品上載部材１０の大きさや安定性を考慮して決める必要がある。
【００３３】
次いで、上記のようにホルダ５の各貫通孔３に脚部材２を挿入した後、図２に示すように、各貫通穴３の隙間７に固定板６のストッパ８を圧入した状態で固定板６を当て、その上面に補強のための押え板９を当てて、ボルト１２を座金１５を介して、順次、押え板９のボルト孔９ｂ、固定板６のボルト孔６ａ、ホルダ５のボルト孔１１に挿通し、ホルダ５の下方においてワッシャ１７を介してナット１３で締結することによって、図１に示すように、各脚部材２、２…を所定の高さで固定状態にすることができる。
【００３４】
図７に示す陳列台１は、このような陳列台１に物品上載部材１０を載置する場合であって、図１に示す陳列台１よりも各脚部材２、２…の長さを長くとった一例である。また、図８に示す陳列台１は、ホルダ５の上方に突出する各脚部材２、２…の長さを長くとった一例であり、この場合、各脚部材２、２…の頭部に比較的大型のボール等の物品上載部材１０を載置することができる。
【００３５】
なお、本実施例による陳列台１の各脚部材２、２…の頭部に物品上載部材１０を載置した状態は、該物品上載部材１０の底部周辺を各脚部材２、２…の頭部でキャップ１６、１６…を介して点支持するような支持状態となり、該物品上載部材１０の安定した載置が可能となる。
【００３６】
なお、上記のように、本実施例においては、使用する脚部材２の数を３本として構成してあるが、本発明においては必ずしもそれに限定する必要はなく、載置すべき物品上載部材１０が大型の場合、ホルダ５の面積を広くとって脚部材２の数を増やし、脚部材２の数に応じて貫通孔３を設ければよい。
【００３７】
また、本実施例において、図５(ｂ)に示すようにホルダ５の上面だけに固定板６を設けるようにしてもよいが、各脚部材２をホルダ５の各貫通孔３にさらに強固に固定するには、図６(ａ)又は(ｂ)に示すように、ホルダ５の下面にも固定板６を設けた構成とするのが望ましい。
【００３８】
即ち、図６(ａ)又は(ｂ)に示すように、ホルダ５の各貫通孔３に脚部材２を挿入した後、図２に示すように、ホルダ５の下面において、各貫通穴３の隙間７に固定板６のストッパ８を圧入した状態で固定板６を当て、ボルト１２を座金１５を介してボルト１２を座金１５を介して、順次、押え板９のボルト孔９ｂ、固定板６のボルト孔６ａ、ホルダ５のボルト孔１１に挿通し（図２参照）、さらに下方に設けた固定板５にも挿通し、ワッシャ１７を介してナット１３で締結する。また、貫通孔３の内周における脚部材２の滑り止めとして固定板６のストッパ８に弾性部材からなるスペーサ１４を介在する。なお、ホルダ５の下面において、図５(ａ)又は(ｂ)に示す押え板９は使用していないが、この下面においても押え板９を使用してもよい。
【００３９】
また、上記の実施例１において、複数の脚部材２、２…の頭部に載置する物品上載部材１０は、図７又は図８に示すように、外形が半球形を成すボールであって、このボールの球面を上記のように複数の脚部材２、２…の頭部に載置することによって、該ボール内に種々の物品を収容して展示又は陳列することが可能となる。
【実施例２】
【００４０】
この実施例は、上記のようにホルダ５によって組み立て可能に保持された複数の脚部材２、２…（本実施例においては３本）の頭部にテーブル板１０ａ等の平板状の物品上載部材を載置する場合に適用されるものであり、脚部材２、２…とホルダ５との組み合わせ構成に関しては、実施例１と同様に複数の脚部材２、２…をホルダ５で保持した構造を適用することができるものであり、実施例１の陳列台と同様に手作業で簡単に組み立てたり、分解したりすることが可能である。
【００４１】
本実施例において、複数の脚部材２、２…の各頭部にテーブル板１０ａ等の平板状の物品上載部材を載置した場合、このテーブル板１０ａが各脚部材２、２…の頭部で滑りを生じて脱落するおそれがある。本実施例はこのようなことがないように構成したものである。
【００４２】
そのための構成としては、図１０(ａ)に示すように、テーブル板１０ａのほぼ中央の底部に上部固定部材１８が接着又はネジ止め等によって固着されている。この上部固定部材１８の中央にはネジ孔１８ａが設けられると共に、このネジ孔１８ａに上部フックネジ２０ａを捻じ込んで固定したり、ネジ孔１８ａの上部にナット２１ａの収容スペース２２を形成しておき、上記のようにネジ孔１８ａに挿通した上部フックネジ２０ａのネジ部をナット２１ａで螺締することによって、上部フックネジ２０ａを下方への引張力に抗して確実に固定するようにしている。
【００４３】
また、図１０(ａ)に示すように、各脚部材２、２…を保持したホルダ５の中央部には下部フックネジ２０ｂを挿通するための中心孔２２が形成されている。この中心孔２２は、ホルダ５として実施例１と同様のホルダ５を使用した場合、ホルダ５のボルト孔１２（図２参照）をそのまま利用することも可能である。
【００４４】
いずれにしても、下部フックネジ２０ｂのネジ部をホルダ５の中心孔２２に上方から挿通することによってホルダ５の底面から突出した下部フックネジ２０ｂのネジ部をナット２１ｂで締結することにより、ホルダ５の上方にフックを突出した固定状態にしている。
【００４５】
そして、図１０(ａ)に示すように、テーブル板１０ａ側の上部フックネジ２０ａのフックとホルダ５側の下部フックネジ２０ｂのフックにＳ字形フック２４等を掛けて上下のフックネジ２０ａ、２０ｂを互いにワイヤ、鎖等の牽引部材２５で張引した状態にする。なお、Ｓ字形フック２４の箇所に縒り戻しを行う猿環を設けてもよい。このような構成によって、テーブル板１０ａは各脚部材２、２…の頭部に設けられたキャップ１６、１６…に圧接された状態となり、テーブル板１０ａは各脚部材２、２…と一体的に結合された構造となって、これらの脚部材２、２…の頭部から離脱したり移動したりすることがなくなる。また、このような構成によれば、テーブル板１０ａを持ち上げるだけで、陳列台１全体を持ち上げることができ、移動の際に便利となる。
【００４６】
さらに、本実施例においては、各脚部材２、２…の頭部に載置されたテーブル１０ａの固定状態をさらに確実なものとするために、各脚部材２、２…の頭部の各キャップ１６、１６…がテーブル板１０ａの底面に当接する箇所に所定数の滑止部材１９を固設した構成としている。この滑止部材１９は、図９に示すように、矩形立方体形を成す小片の一辺に脚部材２の頭部に設けられたキャップ１６が係止される凹部１９ａを形成したものである。この滑止部材１９を脚部材２の数だけ用意して各脚部材２、２…の頭部がテーブル板１０ａの底面に当接する箇所に接着等によって固定し、夫々の滑止部材１９の凹部１９ａにホルダ５によって保持された各脚部材２、２…の頭部のキャップ１６、１６…を係止することにより、テーブル板１０ａの滑り止めをより確実にすることが可能となる。
【００４７】
なお、本実施例において、複数の脚部材２、２…を保持するホルダ５の構成は、図１０(ａ)のように実施例１と同様のものを用いてもよく、また実施例１のように固定板６、押え板９等を備えた構造とせずに、図１０(ｂ)に示すように、ホルダ５に斜形状に形成された貫通孔２３、２３…に挿通した各脚部材２、２…にホルダ５の側部から捻じ込んだネジ２７を貫通することによって固定するようにした構造としてもよい。
【実施例３】
【００４８】
この実施例は、図１１に示すように、実施例１のホルダ５によって組み立て可能に保持された複数の脚部材２、２…（本実施例においては３本）の頭部にボール１０ｂのように底面が半円形に形成された物品上載部材を載置する場合に適用されるものであり、脚部材２、２…とホルダ５との組み合わせに関しては、実施例１と同様に複数の脚部材２、２…をホルダ５で保持した構造を適用することができる。
【００４９】
本実施例において、上記のようにホルダ５によって保持された複数の脚部材２、２…の頭部に設けられたキャップ１６、１６…を介して底面が半球形を成すボール１０ｂを載置する場合、ボール１０ｂの底面の半球形が各脚部材２、２…の頭部から下方に沈み込んだ状態で係止されることによって、ある程度の滑り止め効果を発揮することができる。
【００５０】
また、このような本実施例においても、図１２(ａ)に示すように、ボール１０ｂの底部に実施例２と同様の上部保持部材１８を固着し、該上部保持部材１８に固定した上部フックネジ２０ａと、ホルダ５に固定した下部フックネジ２０ｂとをワイヤ、鎖等の牽引部材２５で張引した状態とすることにより、ボール１０ｂは複数の脚部材２、２…の頭部のキャップ１６、１６…に圧接された状態となり、各脚部材２、２…と一体的な構造となって、脚部材２、２…の頭部から離脱したり移動したりすることがない。
【００５１】
また、本実施例においては、複数の脚部材２、２…の夫々の下部を鎖又はワイヤ等の線部材２６によって互いに張引することによって各脚部材２、２…の開脚状態を規制するようにしている。そのための構造として、図１１に示すように、各脚部材２、２…の下部にフックネジ２８を固定し、夫々のフックネジ２８に鎖又はワイヤ等の線部材を係止することによって、各脚部材２、２…の開脚状態を規制し、夫々の脚部材２、２…が固定された状態でボール１０ｂを保持することが可能な構造としている。
【００５２】
なお、本実施例においても、複数の脚部材２、２…を保持するホルダ５の構成は、図１２(ａ)のように実施例１と同様のものを用いてもよく、図１２(ｂ)に示すように、ホルダ５に斜形状に形成された貫通孔２３、２３…に各脚部材２、２…を挿通し、各脚部材２、２…にホルダ５の側部から捻じ込んだネジ２７を貫通することによって固定するようにした構造としてもよい。
【実施例４】
【００５３】
本実施例の陳列台１は、図１３に示すように、ホルダ５によって保持された複数の脚部材２、２…の頭部に比較的大型の平板状のテーブル板１０ａを載置する場合に適するものである。この場合、実施例２と同様の上部保持部材１８をテーブル板１０ａの底部の複数箇所に離間して固着し、夫々の上部保持部材１８に固定した上部フックネジ２０ａに鎖又はワイヤ等の牽引部材２５の上端を係止すると共に、複数用いた牽引部材２５を下方のリング２９で一本の牽引部材２５にまとめてホルダ５に固定した下部フックネジ２０ｂに係止するようにしたものである。
【００５４】
また、本実施例においても、実施例２と同様に、各脚部材２、２…の頭部に設けられたキャップ１６、１６…がテーブル板１０ａの底面に当接する箇所に滑止部材１８、１８…を固設し、夫々の滑止部材１８の凹部１８ａにホルダ５によって保持された各脚部材２、２…の頭部のキャップ１６、１６…を係止することにより、テーブル板１０ａの滑り止めをより確実なものとすることができる。
【００５５】
さらに、本実施例においては、実施例３で用いたように、各脚部材２、２…の下部にフックネジ２８を固定し、夫々のフックネジ２８に鎖又はワイヤ等の線部材２６を係止することによって、各脚部材２、２…の開脚状態を規制し、夫々の脚部材２、２…が固定された状態でボール１０ｂを保持する構造とすることも可能である。
【産業上の利用可能性】
【００５６】
本発明は、商店に商品を陳列したり、展示会場で展示品を陳列したりするのに、簡単な構成によって組立て及び分解可能であり、しかもホルダによって保持された複数の脚部材の頭部に載置したテーブル又はボール等の上載部材の高さを自在に調節することができるコンパクトな陳列台としての利用が可能となる。
【図面の簡単な説明】
【００５７】
【図１】本発明による実施例１の陳列台の全体斜視図である。
【図２】本発明による実施例１の陳列台の分解斜視図である。
【図３】（ａ）は本発明の実施例１に使用する固定板の上面図であり、（ｂ）は図３（ａ）のＡ−Ａ切断線による断面図であり、（ｃ）は固定板の下面図である。
【図４】本発明の実施例１に使用する押え板の上面図である。
【図５】（ａ）は本発明の実施例１に使用する押え板と固定板をホルダの上面に当ててボルトで締結した状態を示す上面図であり、（ｂ）は図５（ａ）のＢ−Ｂ切断線による断面図である。
【図６】（ａ）は本発明の実施例１に使用したホルダの上面と下面に固定板を設けた構成を示すホルダの下面図であり、(ｂ)は図６(ａ)のＣ−Ｃ切断線による断面図である。
【図７】本発明の実施例１による陳列台に小型の物品を載置した状態を示す斜視図である。
【図８】本発明の実施例１による陳列台に大型の物品を載置した状態を示す斜視図である。
【図９】本発明の実施例２による陳列台の斜視図である。
【図１０】(ａ)は本発明の実施例２による陳列台の一部断面状況を示す側方図であり、(ｂ)は脚部材を固定するホルダの別態様を示す側方図である。
【図１１】本発明の実施例３による陳列台の斜視図である。
【図１２】(ａ)は本発明の実施例３による陳列台の一部断面状況を示す側方図であり、(ｂ)は脚部材を固定するホルダの別態様を示す側方図である。
【図１３】本発明の実施例４による陳列台の斜視図である。
【図１４】（ａ）及び（ｂ）は特許文献１に関する斜視図である。
【符号の説明】
【００５８】
１…陳列台
２…脚部材
３…貫通穴
４…切欠縁
５、５’…ホルダ
６…固定板
６ａ…切欠辺
６ｂ…ボルト孔
７…隙間
８…ストッパ
９…押え板
９ａ…切欠辺
９ｂ…ボルト孔
１０…物品上載部材
１０ａ…テーブル板
１０ｂ…ボール
１１…ボルト孔
１２…ボルト
１２ａ…嵌合溝
１３…ナット
１４…スペーサ
１５…座金
１６…キャップ
１７…ワッシャ
１８…上部固定部材
１８ａ…ネジ孔
１８ｂ…収容スペース
１９…滑止部材
１９ａ…凹部
２０ａ…フックネジ
２１ａ、２１ｂ…ナット
２２…中心孔
２３…貫通孔
２４…Ｓ字形フック
２５…牽引部材
２６…線部材
２７…ネジ
２８…フックネジ
２９…リング
【図１】
2006061664.tif 000003
【図２】
2006061664.tif 000004
【図３】
2006061664.tif 000005
【図４】
2006061664.tif 000006
【図５】
2006061664.tif 000007
【図６】
2006061664.tif 000008
【図７】
2006061664.tif 000009
【図８】
2006061664.tif 000010
【図９】
2006061664.tif 000011
【図１０】
2006061664.tif 000012
【図１１】
2006061664.tif 000013
【図１２】
2006061664.tif 000014
【図１３】
2006061664.tif 000015
【図１４】
2006061664.tif 000016